(57)【要約】【課題】幅木の長手方向の自由な位置で配線を引き込み、引き出すことができるとともに、外観上も良好でさらに、幅木の破損や収納部への塵等の侵入を防止できる幅木を提供する。【解決手段】幅木本体２の前面に形成された溝６に仕切壁７を該溝６の長手方向に沿ってかつ該溝６の側面６ａ，６ｂと対向して形成し、仕切壁７と溝６の一方の開口縁部との間に前面壁８を形成し、この前面壁８、前記仕切壁７、前記溝６の側面６ａ，６ｂおよび底面によって配線収納用の収納部３を形成する。そして、仕切壁７の先端縁部を溝６の底面に弾性的に当接させる。そして、仕切壁７の先端部と溝６の底面との間の隙間Ｓから配線１５を引き出し、または引き込むので、幅木１の長手方向の自由な位置で配線１５を引き出し、引き込むことができる。また、前記隙間Ｓが溝６によって隠されるので、外観上も良好となり、また、幅木１の破損や収納部３への塵等の侵入を防止できる。【選択図】図１
2007231558.tif 000002
【特許請求の範囲】
【請求項１】
横方向に長尺な幅木本体の内部に、配線を収納する収納部が前記幅木本体の長手方向に延在して設けられた幅木において、
前記幅木本体の前面には、溝が前記幅木本体の長手方向に沿って形成されており、この溝に仕切壁が該溝の長手方向に沿ってかつ該溝の側面と対向して形成され、前記仕切壁と前記溝の一方の開口縁部との間に前面壁が形成され、
この前面壁、前記仕切壁、前記溝の側面および底面によって前記収納部が形成され、
前記仕切壁の先端縁部が前記溝の底面に弾性的に当接していることを特徴とする幅木。
【請求項２】
請求項１に記載の幅木において、
前記幅木本体は、壁に固定される固定部と、この固定部の下端に上方に延出するように形成されて、下端を支点として起立状態から傾倒することによって前記収納部を開放する可動部とを備え、前記可動部の上端部が前記前面壁とされ、この前面壁の上端部に前記仕切壁が形成されていることを特徴とする幅木。
【請求項３】
請求項２に記載の幅木において、
前記可動部は、該可動部が起立状態で前記固定部と係合していることを特徴とする幅木。
【請求項４】
請求項１〜３のいずれか一項に記載の幅木を壁に固定した幅木の固定構造であって、
前記壁に前記幅木の背面が固定されており、この幅木の上面に該幅木の上で前記壁に固定された耐火板材の下端面が、該耐火板材の表面と幅木の表面とを面一にして当接されていることを特徴とする幅木の固定構造。
【請求項５】
請求項４に記載の幅木の固定構造において、
前記耐火板材の表面に張り付けられたクロスが前記幅木の表面に延出されて該表面に張り付けられ、さらに前記溝の側面に向けて折曲されて該側面に張り付けられていることを特徴とする幅木の固定構造。
【発明の詳細な説明】
【技術分野】
【０００１】
本発明は、壁面や間仕切等の下部に設けられる幅木に関し、特に、内部に配線できるようにした幅木に関する。
【背景技術】
【０００２】
この種の幅木の一例として、特許文献１に記載のものが知られている。この幅木は、軟質樹脂材からなる幅木の上片を変形させて、配線コードを引き込んだり、引き出したり、あるいは、壁面と上片先端とにより、配線コードを挾持するとともに、幅木の内部に配線コードを収容しうるようにしたものである。
【特許文献１】特開平８−１８２１４８号公報
【発明の開示】
【発明が解決しようとする課題】
【０００３】
ところが、上記従来の幅木では、軟質樹脂材からなる幅木の上片を変形させて、配線コードを引き込んだり、引き出したりしているので、配線コードを引き込み、引き出している上片の部位が捲れてしまうことになるので、外観上好ましくないばかりか、この捲れた部分に物等が引っ掛かって、幅木が一部破損したり、捲れた部分から幅木の内部に塵が侵入するといった不具合がある。
【０００４】
本発明は上記事情に鑑みてなされたもので、幅木の長手方向の自由な位置で配線を引き込み、引き出すことができるとともに、外観上も良好でさらに、幅木の破損や収納部への塵等の侵入を防止できる幅木を提供することを課題としている。
【課題を解決するための手段】
【０００５】
上記課題を解決するために、請求項１に記載の発明は、例えば図１および図２に示すように、横方向に長尺な幅木本体２の内部に、配線１５を収納する収納部３が前記幅木本体２の長手方向に延在して設けられた幅木１において、
前記幅木本体２の前面には、溝６が前記幅木本体２の長手方向に沿って形成されており、この溝６に仕切壁７が該溝６の長手方向に沿ってかつ該溝６の側面６ａ，６ｂと対向して形成され、前記仕切壁７と前記溝６の一方の開口縁部との間に前面壁８が形成され、
この前面壁８、前記仕切壁７、前記溝６の側面６ａ，６ｂおよび底面によって前記収納部３が形成され、
前記仕切壁７の先端縁部が前記溝６の底面に弾性的に当接していることを特徴とする。
【０００６】
請求項１に記載の発明によれば、収納部３を形成する仕切壁７の先端部が溝６の底面に弾性的に当接しているので、幅木本体２の長手方向の自由な位置で、仕切壁７の先端部を溝６の底面から離間させて、この仕切壁７の先端部と溝６の底面との間の隙間Ｓから配線１５を引き出し、または引き込むことができる。つまり、幅木１の長手方向の自由な位置で配線１５を引き出し、引き込むことができる。
また、仕切壁７の先端部を溝６の底面から離間させて、配線１５を引き出し、引き込むための隙間Ｓを形成するが、この溝６は幅木本体２の前面に形成されているので、前記隙間Ｓは溝６によって隠される。したがって、隙間Ｓが直接見えることがないので、外観上も良好となり、また、隙間Ｓが溝６によって囲まれて保護されるので、幅木１の破損や収納部３への塵等の侵入を防止できる。
【０００７】
請求項２に記載の発明は、請求項１に記載の幅木１において、
前記幅木本体２は、壁１１に固定される固定部４と、この固定部４の下端に上方に延出するように形成されて、下端を支点として起立状態から傾倒することによって前記収納部３を開放する可動部５とを備え、前記可動部５の上端部が前記前面壁８とされ、この前面壁８の上端部に前記仕切壁７が形成されていることを特徴とする。
【０００８】
請求項２に記載の発明によれば、可動部５の上端部が前面壁８とされ、この前面壁８の上端部に仕切壁７が形成されており、前記可動部５をその下端を支点として傾倒することによって収納部３を仕切壁７を除いた状態で大きく開放できるので、幅木１を壁１１に固定した状態で、配線１５を収納部３に容易に収納できる。
【０００９】
請求項３に記載の発明は、請求項２に記載の幅木１において、前記可動部５は、該可動部５が起立状態で前記固定部４と係合していることを特徴とする。
【００１０】
請求項３に記載の発明によれば、可動部５が起立状態で固定部４と係合しているので、収納部３を閉止状態で確実に保持できる。
【００１１】
請求項４に記載の発明は、請求項１〜３のいずれか一項に記載の幅木１を壁１１に固定した幅木１の固定構造であって、
前記壁１１に前記幅木１の背面が固定されており、この幅木１の上面に該幅木１の上で前記壁１１に固定された耐火板材１２の下端面が、該耐火板材１２の表面と幅木１の表面とを面一にして当接されていることを特徴とする。
【００１２】
請求項４に記載の発明によれば、壁１１に固定された幅木１の上面に耐火板材１２の下端面が、耐火板材１２の表面と幅木１の表面とを面一にして当接されているので、幅木１が仕上壁面から突出することがなく、仕上がりが秀麗なものとなる。
【００１３】
請求項５に記載の発明は、請求項４に記載の幅木の固定構造において、
前記耐火板材１２の表面に張り付けられたクロス１３が前記幅木１の表面に延出されて該表面に張り付けられ、さらに前記溝６の側面６ａに向けて折曲されて該側面６ａに張り付けられていることを特徴とする。
【００１４】
請求項５に記載の発明によれば、耐火板材１２の表面に張り付けられたクロス１３の下端部を幅木１の前面に形成された溝６の側面６ａに張り付けるので、クロス１３の下端を幅木１によって見切ることができ、別途見切り部材を必要としない。
【発明の効果】
【００１５】
本発明によれば、前面壁、仕切壁、溝の側面および底面によって配線を収納する収納部が形成され、仕切壁の先端縁部が溝の底面に弾性的に当接しているので、幅木本体の長手方向の自由な位置で、仕切壁の先端部を溝の底面から離間させて、幅木の長手方向の自由な位置で配線を引き出し、引き込むことができる。
また、仕切壁の先端部を溝の底面から離間させて、配線を引き出し、引き込むための隙間を形成するが、この溝は幅木本体の前面に形成されているので、前記隙間は溝によって隠される。したがって、隙間が直接見えることがないので、外観上も良好となり、また、隙間が溝によって囲まれて保護されるので、幅木の破損や収納部への塵等の侵入を防止できる。
【発明を実施するための最良の形態】
【００１６】
以下、図面を参照して、本発明の実施の形態について説明する。
図１は本発明に係る幅木１を壁の下端部に固定した状態を示す断面図、図２は同斜視図である。
【００１７】
これらの図に示すように、幅木１は、横方向（図１では紙面と直交する方向）に長尺なものであり、幅木本体２の内部に収納部３を幅木本体２の長手方向（図１では紙面と直交する方向）に延在して設けた構成となっている。幅木本体２は、固定部４とこの固定部４の下端に上方に延出するように形成された可動部５とを備えている。
固定部４は、平板部４ａとその上端部に略直角に形成された突出板部４ｂと、前記平板部４ａの下端部に斜めに形成された傾斜板部４ｃとによって構成されている。平板部４ａは横方向に長尺な帯板状に形成され、突出板部４ｂは平板部４ａの上端部に沿って長尺にかつ平板部４ａと一体的に形成されている。また、傾斜板部４ｃは床面に対して傾斜しており、平板部４ａの下端に該平板部４ａと一体的に形成されている。
また、前記突出板部４ｂの壁面からの突出長さは、壁面に取り付けられる石膏ボード等の耐火板材の厚さと等しくなっている。
【００１８】
幅木本体２の前面には、溝６が幅木本体２の長手方向に沿って形成されており、この溝６に仕切壁７が溝６の長手方向（図１では紙面と直交する方向）に沿ってかつ該溝６の側面６ａ，６ｂと対向して形成されている。また仕切壁７と溝６の一方（下方）の開口縁部との間に前面壁８が形成されている。
前記可動部５は、前記傾斜板部４ｃの下端に上方に延出するようにして形成されており、下端を支点として起立状態から弾性的に図１において左方に傾倒することによって前記収納部３を開放するようになっている。また、前記可動部５の上端部が前記前面壁８とされており、この前面壁８の上端部に前記仕切壁７が形成されている。
【００１９】
仕切壁７は柔軟性を有する軟質の樹脂で形成されており、その先端縁部は溝６の底面に弾性的に当接している。また、仕切壁７は柔軟性を有しているので、その長手方向における自由な位置で局部的に弾性的に変形可能であり、外側に捲れるようにして変形することによって、仕切壁７の先端縁部と溝６の底面との間に隙間Ｓを形成できるようになっている。
そして、このような仕切壁７、前面壁８、溝６の側面６ｂおよび底面によって前記収納部３が形成されている。
【００２０】
また、前記可動部５は、該可動部５が起立状態で前記固定部４と係合している。すなわち、固定部４の固定板部４ａには、先端が円柱状に形成された係合部１０ａが突出形成されており、可動部５には係合部１０ａが係合する開環筒状の被係合部１０ｂが形成されている。そして、可動部５が起立状態で、係合部１０ａが被係合部１０ｂに係合している。この状態から可動部５がその下端を支点として左方に傾倒することによって、被係合部１０ｂが係合部１０ａから外れるようになっている。
なお、係合部１０ａと被係合部１０ｂとは係合した状態において、それらの収納部３側を向く面が、収納部３の側面６ｂとなっている。
【００２１】
上記のような構成の幅木１は、固定部４の固定板部４ａが、壁１１に接着剤等によって接着固定される。また、壁１１には石膏ボード等の耐火板材１２が固定されており、この耐火板材１２の下端面１２ａが、幅木１の突出板部４ｂの上面に当接される。この状態において、耐火板材１２の表面と、突出板部４ｂの先端面とは面一になっている。
耐火板材１２の表面には、クロス１３が張り付けられており、このクロス１３の下端部は突出板部４ｂの先端で内側に折曲されて、溝６の側面６ａ（突出板部４ｂの下面）に張り付けられている。
【００２２】
このように、壁１１に固定された幅木１の突出板部４ｂの上面に耐火板材１２の下端面１２ａが、耐火板材１２の表面と幅木１の突出板部４ｂの先端とを面一にして当接されているので、幅木１が仕上壁面から突出することがなく、仕上がりが秀麗なものとなる。
また、クロス１３の下端部を幅木１の前面に形成された溝６の側面６ａに張り付けるので、クロス１３の下端を幅木１によって見切ることができ、別途見切り部材を必要としない。
【００２３】
そして、上記のようにして壁１１の下端部に固定された幅木１の収納部３に配線１５を挿入するには、可動部５を固定部４から離間する方向（左方）に引っ張って、被係合部１０ｂを係合部１０ａから外して、可動部５の下端を支点として傾倒させる。これによって、収納部３が仕切り壁７を除いた状態で大きく開放されるので、この収納部３に配線１５をその幅木１の正面側から挿入する。その後、可動部５を元に戻して、被係合部１０ｂを係合部１０ａに係合することによって、収納部３を閉じる。なお、可動部５は弾性的に傾倒していたので、弾性復帰力によって、起立状態に戻り、この状態で可動部５を固定部４に向けて押付けることによって、被係合部１０ｂが係合部１０ａに係合し、可動部５が閉止状態に保持される。
【００２４】
そして、収納部３から配線１５を引き出したり、引き込んだりする場合には、仕切壁７の先端部が溝６の底面に弾性的に当接しているので、引き出したり、引き込んだりする位置において、仕切壁７の先端部を溝６の底面から捲り上げるように離間させて隙間Ｓを形成し、この隙間Ｓを通して配線１５を引き出したり、引き込んだりすることができる。したがって、幅木１の長手方向の自由な位置で配線１５を引き出し、引き込むことができる。
【００２５】
また、配線１５を引き出し、引き込むための隙間Ｓは溝６によって隠されるので、該隙間Ｓが直接見えることがない。したがって、仕切壁７の先端部の捲り上がった部分が見えないので、外観上も良好となり、また、隙間Ｓが溝６によって囲まれて保護されるので、幅木１の破損や収納部３への塵等の侵入を防止できる。
さらに、可動部５をその下端を支点として傾倒することによって収納部３を仕切壁７を除いた状態で大きく開放できるので、幅木１を壁１１に固定した状態で、配線１５を収納部３に容易に収納できる。
また、可動部５が起立状態で固定部４と係合しているので、収納部３を閉止状態で確実に保持できる。
【図面の簡単な説明】
【００２６】
【図１】本発明に係る幅木を壁の下端部に固定した状態を示す断面図である。
【図２】本発明に係る幅木を壁の下端部に固定した状態を示す斜視図である。
【符号の説明】
【００２７】
１  幅木
２  幅木本体
３  収納部
４  固定部
５  可動部
６  溝
７  仕切壁
８  前面壁
１０ａ  係合部
１０ｂ  被係合部
１１  壁
１２  耐火板材
１３  クロス
１５  配線
Ｓ  隙間
【図１】
2007231558.tif 000003
【図２】
2007231558.tif 000004